Podtech/llm-jp-corpus-v4-ja_patent huggingface dataset:
(57)【要約】【課題】  このミニのお墓は、手間、暇やお金が掛かっていたのを手元で、お参りを出来るようにした造形物である。【解決手段】  ３Ｄプリンターにデータを取り込み、樹脂を熱で溶かし積み重ねて造形物が出来る。この造形物に塗装をしてミニサイズのお墓が出来上がるのである。【特許請求の範囲】
この造形物の下に、台座を取り付け台座の後ろに空洞部分を作り、その中に遺骨を納めるようにする。又、造形物本体の後ろに空洞を作り、その中に遺骨を納めてもよい。どちらもプレートで蓋をする。このミニサイズのお墓はペット用にもなる。
【発明の詳細な説明】
【発明の詳細な説明】
【技術分野】
【０００１】  この発明は、３Ｄプリンターでデータをもとに樹脂などを加工して造形物を作るのである。
【背景技術】
【０００２】  従来のお墓は、お葬式から四十九日が終わればお墓にお骨収めに行くが、お墓がない場合、墓地から墓石を建てるまで、かなりの費用と月日をかけていました。
家では仏壇を買い揃え、そのつど親族に来てもらう、又お坊さんに供養をしてもらわねばなりません。このように、手間がかかっていたのである。
【発明が解決しようとする課題】
【０００３】  このように、お葬式から四十九日が終わり、次はお墓を建てねばなりません。このように、お金や月日が掛かるのをなくすためです。本発明は、手元でお墓参りが出来るようにしたのである。
【課題を解決するための手段】
【０００４】  本発明は、亡き人の趣味や偶像などに合わせた造形物を作るのです。
又、生前に造って置いてもよい。これらを３Ｄプリンターで造形するのである。
【発明を実施するための形態】
【０００５】  この造形物を造るには、パソコンにデータ等を入れて、３Ｄプリンターに接続して造形物を制作するのである。
【実施例】
【０００６】  次に、造形物の本体や台座の後ろ側の空洞に遺骨を綿のようなもので包み納めるのである。蓋のプレートに戒名と名前を刻んで蓋をする。この方法で、ペットのお墓にもなるのである。
【発明の効果】
【０００７】  このミニサイズのお墓を手元に置くだけで、お墓参りにわざわざ行く必要も無く、位牌や仏壇も要らないのです。今はお葬式も簡素化されて直送方式があるので、火葬が終われば遺骨を持ち帰りミニサイズのお墓を造り、その造形物にお骨を納めれば良いのである。
(57)【要約】【課題】衣類等洗濯物を干す場合、挟み込み部の湿気残りや、室内干し洗濯物の湿気臭匂いを解消すること。【解決手段】図１の洗濯バサミは乾燥板を主軸として通気性を備えた（２）（３）２か所の挟み込みの同時開閉を可能とし、利便性と乾燥促進や、芳香付けも行える機能（Ｈ）（Ｇ）を備えた機構とした。【選択図】図１
2019170987.tif 000002
【特許請求の範囲】
【請求項１】
洗濯物の挟持面を２面持ち、一度にその２面を挟み込むことを可能にした洗濯バサミ。
【請求項２】
洗濯バサミに通気性並びに添付室を設け、乾燥材や芳香剤による仕上がり付加機能を備えた構造。
【発明の詳細な説明】
【技術分野】
【０００１】  この発明は、衣類を室内に干す傾向が増え、室内干し洗濯物の匂いの解消  洗濯バサミ挟み込み部分の渇き速度の遅れの防止  洗濯バサミ挟み込みの不便さを減らすことを目的とする。【０００２】  洗濯物を干す時に一般的には下着等で２か所に洗濯バサミを挟む事が通常であり、フリースやトレーナーを逆さにして干す場合も、両サイド２か所では乾燥が遅く、内側を開いた状態を作り４か所の止めが必要になる。  高齢者や低年齢層の場合はなおさら、煩わしさや必要以上の時間を要す事になる。【０００３】  タオルなどを干す場合、物干しをまたいで折り返しの中間を洗濯バサミで挟み込む場合。挟み込んだ部分は２重になり、挟み込み跡が残るとともに  乾燥しないまま湿ったままで長時間を要す。【０００４】    下着  肌着  など、人目を避けたい洗濯物は、特に乾燥の具合や  匂いが気になる。タオルについても、フェイスタオル、バスタオルなど必ず毎日使用するものは特に匂いが気になる。【０００５】
【特許文献１】特開２０１３−８５９４５
【特許文献２】特開２０１３−２２４４５
【非特許文献】
【発明の概要】
【発明が解決しようとする課題】洗濯物を干す場合、簡単に衣類やタオルなどを洗濯バサミで掴むこと、すなわち一度に裾の前面と後ろ面を同時に掴むことを解決する事。【０００６】そこで、この発明は、洗濯バサミで下着などの裾巾の前後を同時に掴む事を無くし、掴み部分の湿気残りを無くし、湿気臭を無くす事を解決した。
【課題を解決するための手段】
【０００７】一般的な小さな洗濯物は通常２パーツからなる洗濯バサミのその２パーツが両面から挟み込む事で干されるわけであるが、本体軸１を新たに設け、本体軸に挟み込み部分を別に取り付けることにより、あらかじめ挟み込み部分より本体主軸が出っ張っており、例えば裾の前後が一度にスムーズにクリップに収まるようになることを可能にした。【０００８】    上記特許文献１は通常販売洗濯バサミ（２枚同形の羽つまみの丸型バネ止め）の可動域を広くした形であり、バネも可動する進化形であるが、需要は略式化と踏まえこの発明では中心乾燥板（１）を主軸として、（２）（３）  をＷ型の（Ａ）の板バネを使用して洗濯物を挟み込む構造で、図３にあるように中心（１）からブレることなく、（Ｃ）面と（Ｄ）面に同時に挟み込むことを可能にし、なおかつ（Ｃ）面  もしくは（Ｄ）面のどちらか一方に挟み込むことができる。この二通りの使用方法は高齢者や若年層の手伝いに於いても洗濯物干しが簡易に行える機構とした。【０００９】    上記特許文献２は  ループ紐による洗濯物の固定であるが、この発明では使用用途における洗濯バサミを  図１  図２  にある（５）（６）等、使用状況によりフック部分を変更しさまざまなシーンに合わせた展開を行えるように設定している。又  本体（１）との結合で洗濯バサミ自体は３６０度の回転を可能にしているので、洗濯物の形状などに合わせた吊り下げを可能とした。
【発明の効果】
【００１０】  この発明では、さらに（Ｇ）（Ｈ）（Ｅ）（Ｆ）に通気口を設定し、挟み部分での乾燥通気性を取り入れる構造に設定した。表示図では  たとえば湿気除去を促す場合は（Ｂ）は不織布や珪藻土もしくはシリカゲル等乾燥促進剤を（１）（４）の中にセットできるようにしている。  使用展開では、その中に芳香剤を入れほのかな香りを衣類に付けることも可能にした。勿論ケースカバー（４）を無くし単に通気乾燥のみの展開もあり得る。
【符号の説明】
【００１１】１  主軸本体    ２（３も同じ）  挟みクリップ    ４  保管庫蓋
５  吊り下げフック    ６  吊り下げベルト    Ａ  Ｗ型板バネ    Ｂ  芳香乾燥材
【図面の簡単な説明】
【００１２】
【図１】外観図
【図２】分解図
【図３】側面及び使用図
【図１】
2019170987.tif 000003
【図２】
2019170987.tif 000004
【図３】
2019170987.tif 000005
(57)【要約】【課題】  本発明による麺類の製造方法では、使用する水を変更するだけで十割そばを含む麺類を容易に製造できる方法を提供することを課題とする。【解決手段】  本発明による麺類の製造方法では、そば、小麦粉等の穀類の粉に少なくとも水を加えて練り込み、薄く伸ばしてから細長く切り離す麺類の製造方法において、使用する水のカルシウム濃度が２０乃至５０ｍｇ／Ｌの範囲であることを特徴とする。前記水は、濃縮によりカルシウム濃度を調整したものであることがより好適である。【選択図】なし【特許請求の範囲】
【請求項１】
そば、小麦粉等の穀類の粉に少なくとも水を加えて練り込み、薄く伸ばしてから細長く切り離す麺類の製造方法において、使用する水のカルシウム濃度が２０乃至５０ｍｇ／Ｌの範囲であることを特徴とする麺類の製造方法。
【請求項２】
前記水は、濃縮によりカルシウム濃度を調整したものであることを特徴とする請求項１記載の麺類の製造方法。
【発明の詳細な説明】
【技術分野】
【０００１】  本発明は、伸びが良く食感が向上できる麺類の製造方法に関する。
【背景技術】
【０００２】  日本においては、そばやうどんなどの麺類が好んで食されている。特にそばの場合、そば粉のみを使用して製造する十割そばが好まれるが、小麦粉、山芋、卵等のつなぎを用いずそばと水のみでそばを製造することは容易ではない。つなぎとなる材料を使用しない場合、伸びが少なく麺が切れやすくなってしまうためである。【０００３】  このようなそばの性質を補うため、そば粉からそば糊を作成し添加することによりそばを容易に製造できる方法が特許文献１に記載されている。しかし、そば糊を作成する手間がかかり、また添加する分量も規定されているためそばの製造が難しいという問題がある。【０００４】
【特許文献１】特開２０１０−１４８４２１号公報
【発明の開示】
【発明が解決しようとする課題】
【０００５】  上記問題点に鑑みて本発明による麺類の製造方法では、使用する水を変更するだけで十割そばを含む麺類を容易に製造できる方法を提供することを課題とする。
【課題を解決するための手段】
【０００６】  上記課題を解決するため本発明による麺類の製造方法では、そば、小麦粉等の穀類の粉に少なくとも水を加えて練り込み、薄く伸ばしてから細長く切り離す麺類の製造方法において、使用する水のカルシウム濃度が２０乃至５０ｍｇ／Ｌの範囲であることを特徴とする。【０００７】  前記水は、濃縮によりカルシウム濃度を調整したものであることがより好適である。
【発明の効果】
【０００８】  本発明による麺類の製造方法では、カルシウム濃度が２０乃至５０ｍｇ／Ｌの範囲である水を使用することにより、麺類の引っ張り強度すなわち伸びを改善でき、それによって製造が容易になるばかりでなく食感も向上する。
【発明を実施するための最良の形態】
【実施例】
【０００９】  以下、本発明の好適な実施例について説明する。実施例としては、そばと水のみにより十割そばを製造して引っ張り強度試験を行った。使用した水は、水道水、出願人の地元のミネラルウォーターＴ、さらに、このミネラルウォーターを３０％、５０％及び７０％濃縮したものである。使用した水の成分データを表１に示す。【００１０】
【表１】
2019170355.tif 000002
【００１１】  ミネラルウォーターの濃縮については、カルシウム濃度を上昇させることを目的として、市販の逆浸透膜純水装置を使用した。【００１２】  そばの製造方法については、そば粉に表１に示した水をそれぞれ４０％添加して十分にこね、薄く伸ばした上で細長くカットした。カットしたそばの断面は２ｍｍ×２ｍｍであり、このそばを長さ１５ｃｍにそろえて試料とした。【００１３】  引っ張り強度測定の準備として、カットした麺をミネラルウォーターＴに浸漬して９０秒茹で、取り出した後冷水で３分間冷やした後速やかに測定を行った。１種類の使用につき５本ずつデータを採取した。測定したそばの引っ張り強度を表２に示す。【００１４】
【表２】
2019170355.tif 000003
【００１５】  表２の数字を見れば明らかなように、３０％濃縮の場合を除いて引っ張り強度の値が水道水と使用した場合より高くなっていることがわかる。水の成分の中でそば粉の結合に起用するのは主としてカルシウムと考えられるため、カルシウム濃度が一定の範囲においてそばの引っ張り強度が上がる、すなわち麺が切れにくくなることがわかる。７０％濃縮の場合の値は５０％濃縮の場合と同程度であるが、麺が固くなる傾向があるため、これ以上濃縮度合いを高める、すなわちカルシウム濃度を増加させると食感が低下すると思われる。【００１６】  以上、主として十割そばについて実施例を説明したが、小麦粉を添加したいわゆる二八そばや、小麦粉主体のうどんについても応用できることはもちろんである。
【産業上の利用可能性】
【００１７】  以上述べたように、本発明による麺類の製造方法では、製造が困難な十割そばであっても引っ張り強度が上がることにより製造が容易になり、うどん等の他の麺類にも応用可能であるため、麺類の製造に大きく寄与するものである。
(57)【要約】      （修正有）【課題】持ち運びに便利な使い捨てカイロを、直接手で触れることなく温めるためのものを提供する。【解決手段】外カバーと内カバーの間に脱着可能な、ボタンやマジックテープ（登録商標）で留めることにより、使い捨てカイロがはみ出ないように作成されている。内カバーの素材には、ダブルラッセルという医療や介護の現場で、実際に使用されているミトンや医療用枕などの素材を使用している。持ち運びに便利で、広範囲に温めることが可能です。【選択図】なし【特許請求の範囲】
【請求項１】
冬場の寒い場所で長時間待機しなければならない状況（例えば冬場の学校の体育館）だったり、身体の血行が良くない高齢者の下肢や、肩の上等、寒いところ又は温めたい身体の箇所があったとき、温めるための使い捨てカイロが思い当たります。カイロは、貼るものや、貼らないものに分かれますが、貼るものは固定されてしまいます。貼らないものは、直接触ると熱く感じることがあります。
また、電気を使用した温庵法などは、コンセントが必要で、一般的にみたら屋内でしか使用できません。
温めたくて、持ち運びがしやすいものを考えたときに思いつき、上記の状況が解決されました。
一般的な使い捨てカイロケースが販売されているのを探してみると、一つしかカイロは入りませんが、私の発明したものはカイロが二つ入るものです。医療用のミトンや、医療用枕など、医療や介護現場で使用されているものを生地として使用しておりますので、使い捨てカイロの温かさがやんわり優しく変化し、保温性・通気性に優れており、誰にでも使いやすく、実用性があります。
【発明の詳細な説明】
【技術分野】
【０００１】
使い捨てカイロを入れる布袋
【背景技術】
【０００２】
医療用のミトンや、医療用枕として使用されているダブルラッセル生地を使用し、保温性と通気性に優れたものとなっている。
【発明の概要】
【発明が解決しようとする課題】
【０００３】
冬場の寒い場所で長時間待機しなければならない状況（例えば冬場の学校の体育館）だったり、身体の血行が良くない高齢者の下肢や、肩の上等、寒いところ又は温めたい身体の箇所があったとき、温めるための使い捨てカイロが思い当たります。カイロは、貼るものや、貼らないものに分かれますが、貼るものは固定されてしまいます。貼らないものは、直接触ると熱く感じることがあります。
また、電気を使用した温庵法などは、コンセントが必要で、一般的にみたら屋内でしか使用できません。
温めたくて、持ち運びがしやすいものを考えたときに思いつき、上記の状況が解決されました。
【課題を解決するための手段】
【０００４】
一般的な使い捨てカイロケースが販売されているのを探してみると、一つしかカイロは入りませんが、私の発明したものはカイロが二つ入るものです。医療用のミトンや、医療用枕など、医療や介護現場で使用されているものを生地として使用しておりますので、使い捨てカイロの温かさがやんわり優しく変化し、保温性・通気性に優れており、誰にでも使いやすく、実用性があるため、作成しました。
【発明の効果】
【０００５】
試しに使用した方からの感想としては、「持ち運びに便利」「温かさが優しい感じがする」「ずっと当てていても低温やけどの心配も少ない」「２個入れるから広く当てられて良い」などの声があるように、実際にこのような効果があります。
【図面の簡単な説明】
【０００６】
【図１】平面図
【図２】立面図
【図３】断面図
【発明を実施するための形態】
【０００７】
寒いところで長時間滞在する人の冷えた箇所を温める使い捨てカイロ入れとする。
医療や介護の現場でも、身体の冷えた箇所を温めるために使用が可能です。接骨院や治療院などの業種での使用が出来ます。
【実施例】
【０００８】
理学療法士や鍼灸マッサージ師が訪問して患者様のご自宅へ伺う際に温庵法として患部を温める。
【産業上の利用可能性】
【０００９】
冬が主になると予測されるが、万人に使用していただくことが可能です。
【符号の説明】
【００１０】
１  外カバー
２  内カバー
３  外カバーと内カバーの接着する部分
４  使い捨てカイロの入る箇所
５  内カバーを外カバーに縫い合わせてある部分
６  外カバーと打ちカバーの接着する部分
７  医療用として良く使用されるダブルラッセルを使用した保温部分
【図１】
2019150398.tif 000002
【図２】
2019150398.tif 000003
【図３】
2019150398.tif 000004
(57)【要約】【課題】栽培物に音楽をより確実に聴かせること。【解決手段】栽培装置１００は、植物の水耕栽培が可能な複数の容器２と、各容器２に取り付けられる骨伝導スピーカ３と、を有する。【選択図】図１
2019150061.tif 000002
【特許請求の範囲】
【請求項１】
植物の水耕栽培が可能な複数の容器と、
前記各容器に取り付けられる骨伝導スピーカと、
を有することを特徴とする栽培装置。
【請求項２】
骨伝導スピーカ毎に異なる音楽を再生させる音源サーバ装置をさらに有する請求項１に記載の栽培装置。
【発明の詳細な説明】
【技術分野】
【０００１】
本発明は栽培装置に関する。
【背景技術】
【０００２】
貯留養液を栽培しようとする植物の根基に循環させ、植物に吸収させて育成させる水耕栽培が知られている。例えば、栽培容器にスピーカを内蔵し、音楽を再生する方法が知られている。
【先行技術文献】
【特許文献】
【０００３】
【特許文献１】特開２０１５−２７０７号公報
【発明の概要】
【発明が解決しようとする課題】
【０００４】
栽培物（野菜等）が複数種類存在する場合に、栽培物毎に音楽・音声・音言葉等の音源（以下「音楽」と言う）を独立して聴かせる場合を考える。
開放された空間において複数のスピーカから音楽を流すと、音が混ざり、本来聞かせたい音楽を、種類が異なる栽培物毎に聴かせられない可能性がある。
１つの側面では、本発明は、開放された狭い空間に栽培されている栽培物毎に、異なる音楽を、限定して聴かせることを目的とする。
【課題を解決するための手段】
【０００５】
上記目的を達成するために、開示の栽培装置が提供される。この栽培装置は、植物の水耕栽培が可能な複数の容器と、各容器に取り付けられる骨伝導スピーカと、を有している。
【発明の効果】
【０００６】
１態様では、種類が異なる栽培物毎に、異なる音楽を聴かせることができる。
【図面の簡単な説明】
【０００７】
【図１】実施の形態の栽培装置を示す図である。
【発明を実施するための形態】
【０００８】
以下、実施の形態の栽培装置を、図面を参照して詳細に説明する。
＜実施の形態＞
図１は、実施の形態の栽培装置を示す図である。
第１の実施の形態の栽培装置１００は、建物１と、建物１内に設けられ複数の畝を形成する容器２とを有している。なお、図１には図示していないが、栽培装置１００は空調設備や光量調整設備等を有していても良い。
【０００９】
建物１は、例えばビニールやガラス等で覆われており、開放された狭い空間を形成している。この建物１は、栽培物を風雨や霜等から守ったり、温度や湿度を一定に保ったりする機能を有している。建物１の形状は一例であり、ビニールハウス等であってもよいし、屋根で覆われた空間を形成するものであってもよい。
【００１０】
容器２は、所定の間隔を隔てて複数個（図１では６個）配置されている。容器２の構成材料としては、ステンレス鋼等の耐食性が高く音源を伝え易いものが好ましい。
【００１１】
各容器２は、水と液体肥料（養液）で植物を栽培する水耕栽培が可能になっており、内部に液体を貯留することができる。植物としては例えば花、野菜、果実、稲や麦等の穀物が挙げられる。
【００１２】
各容器２には、異なる種別の植物を栽培することができる。例えば、図１に示す例では容器２ａには、イチゴが栽培されている。容器２ｂにはナスが栽培されている。容器２ｃには、トマトが栽培されている。
【００１３】
各容器２には、骨伝導スピーカ３が設けられている。骨伝導スピーカ３は、音源信号を振動に変換し、容器２に伝達する。図１では、容器２毎に２つの骨伝導スピーカ３が設けられている。１つの容器２に設けられる骨伝導スピーカ３の数は、図示のものに限定されず、１つまたは３つ以上であってもよい。
【００１４】
また、各容器２には、図示しない音源信号受信装置が設けられている。これらの音源信号受信装置は、同一の容器２に設けられた骨伝導スピーカ３から同じ音楽を再生させる。
栽培装置１００は、音源サーバ装置４を有している。
音源サーバ装置４は、近距離通信信号（例えばｗｉ−ｆｉや、Ｂｌｕｅｔｏｏｔｈ（登録商標）等）を用いて音源信号受信装置に音源信号を伝送する。
【００１５】
音源サーバ装置４は、音源信号受信装置毎に異なる音楽を伝送することができる。例えば、容器２ａに設けられた音源信号送受信装置には、モーツァルトが作曲した音楽を伝送し、容器２ｂに設けられた音源信号送受信装置には、ベートーベンが作曲した音楽を伝送し、容器２ｃに設けられた音源信号送受信装置にはシューベルトが作曲した音楽を伝送することができる。なお、伝送する音楽の種別は特に限定されず、クラシック音楽以外にもジャズやポップス等、種々の音楽を聴かせることができる。これらの音楽が骨伝導スピーカ３により再生されることで、各容器２の作物に音楽を聴かせることができる。骨伝導スピーカ３を用いることで、既存の空気式伝導によるスピーカに比べ音が混ざった場合においても作物に対しより確実に音楽を伝達させることができる。
【００１６】
以上、本発明の栽培装置を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【符号の説明】
【００１７】
１  建物
２  容器
３  骨伝導スピーカ
４  音源サーバ装置
１００  栽培装置
【図１】
2019150061.tif 000003
(57)【要約】【課題】  従来技術では、親指一本で支持しているため、不安定であり、特に歩きながらの飲食は難しいと思われる。また、別の従来技術も、両手を使用するもので、これも歩きながらの飲食には難しいものである。【解決手段】  リング状のカップホルダー本体の側面縦方向に指を入れる指ホルダーを上下少なくとも２箇所以上設けてなることを特徴とする。【選択図】図１
2019150540.tif 000002
【特許請求の範囲】
【請求項１】
リング状のカップホルダー本体の側面縦方向に指を入れる指ホルダーを上下少なくとも２箇所以上設けてなることを特徴とするカップホルダー。
【請求項２】
指ホルダーの軸心を円弧状に形成してなることを特徴とする請求項１記載のカップホルダー。
【請求項３】
カップホルダー本体の側面に、別のカップホルダー本体を設けてなることを特徴とする請求項１又は２記載のカップホルダー。
【発明の詳細な説明】
【技術分野】
【０００１】  本発明は、カップホルダーを手に取り付けて歩きながら飲食できるカップホルダーに関するものである。
【背景技術】
【０００２】  従来の技術としては、上方からみた形状が、キャラクター、愛玩物、動物等の外面形状を形どって、大径リング前部の左右両側から小径リングを前外方へ突出する形状となし、大径リングは上記トレー嵌合用リングに、かつ小径リングの一方は、上記コップ嵌合用リングに、それぞれ形成し、他方の小径リングは、該小径リング内に拇指を通して持つことで、ホルダーの持ち運びが可能な把手に形成したことを特徴とする紙コップ等のホルダーがある。（特許文献１参照）【０００３】  また、別の従来技術として、２つ折りできるようにしたシートの中央に、２つ折りしたとき、カップの胴部に嵌着できるようにしたカップ穴乃至カップ穴切目を設けると共に、２つ折りした１対の折片のそれぞれの両側又は片側において、一方の折片に、手穴と、他方の折片に前記手穴に挿入する挿入片を形成した切目とをそれぞれ設けて、前記挿入片を前記手穴に挿入して止着し、前記１対の折片を開かないように固定できるようにしてなり、前記１対の折片を２つ折りしてカップ穴乃至カップ穴切目にカップの胴部を嵌着すると共に、前記１対の折片の両側に把手を形成できるようにしたことを特徴とする紙製断熱カップホルダーがある。（特許文献２参照）
【先行技術文献】
【特許文献】
【０００４】
【特許文献１】特開２００４−１８０７６８号公報
【特許文献２】特開２００２−１５４５８６号公報
【発明の概要】
【発明が解決しようとする課題】
【０００５】  上記前者の従来技術では、親指一本で支持しているため、不安定であり、特に歩きながらの飲食は難しいと思われる。【０００６】  上記後者の従来技術は、両手を使用するもので、これも歩きながらの飲食には難しいものである。【０００７】  本発明は、このような従来の構成が有している問題を解決しようとするもので、片手の（３本）の指でカップホルダー本体を支持でき、複数の飲食物を歩きながら食することができ、かつ、掌にも別の物を握ることができ、片手を有効に使用できるカップホルダーを提供することを目的とする。
【課題を解決するための手段】
【０００８】  本発明は、上記目的を達成するために、リング状のカップホルダー本体の側面縦方向に指を入れる指ホルダーを上下少なくとも２箇所以上設けてなること。指ホルダーの軸心を円弧状に形成してなること。カップホルダー本体の側面に、別のカップホルダー本体を設けてなることを特徴とする。
【発明の効果】
【０００９】１）、カップホルダーと上下３箇所に設けた指ホルダーにより、安定してカップホルダーの飲食物を食べ歩きできる。
２）、指ホルダーの軸心を円弧状に形成することにより、掴み易く、より安定して使用できる。
３）、カップホルダーを複数設けることにより、一度に複数の飲食が可能となり、かつ、球場等でのビールやソフトドリンクの販売にも対応できる。
【図面の簡単な説明】
【００１０】
【図１】  本発明の第１実施例を示すカップホルダーの平面図。
【図２】  本発明の第１実施例を示すカップホルダーの正面図。
【図３】  本発明の第２実施例を示すカップホルダーの平面図。
【発明を実施するための形態】
【００１１】  第１実施例のカップホルダーについて説明する。
１は、カップホルダーである。
２は、リング状のカップホルダー本体である。
３は、カップホルダー本体２の側面縦方向に上下３箇所設けてなる筒状の指ホルダーで、軸心Ｇ――が円弧状Ｅに形成されてある。
【００１２】  このカップホルダー１は、例えば、左手Ｈの指Ｙ（３本）を指ホルダー３に入れる。
この状態で、左手Ｈの内側につまみの入ったカップＫを入れ握る。
つぎに、カップホルダー１のカップホルダー本体２内にビールＢを入れる。
このようにセッティングし、右手（図示せず）でカップＫ内のつまみを食べながら、ビールＢを持ち上げ飲むものである。
【００１３】  歩きながらも可能であるが、座ってももちろん使用できるものである。
【００１４】  つぎに、第２実施例のカップホルダーについて説明する。
カップホルダー２１は、前記カップホルダー１のカップホルダー本体２と指ホルダー３と同様なカップホルダー本体２２と指ホルダー２３とから構成され、カップホルダー本体２２の両側面に、同様なカップホルダー本体２２Ａ・２２Ｂを一体的に設けてある。
【００１５】  このカップホルダー２１は、一度に３つの飲食物を持ち、必要に応じて飲んだり、食べたりすることができる。
また、球場内でのビール売りに有効で、一度に３カップ（３人）販売することができる。
【００１６】  上記各実施例において、材質は特に限定しない。
また、カップホルダーの大きさや数等は必要に応じて決めればよい。
さらに、カップホルダー本体にはカップ状のものであれば、飲食物等自由に決めればよい。
【符号の説明】
【００１７】  １―――カップホルダー
２―――カップホルダー本体
３―――指ホルダー
Ｙ―――指
Ｋ―――カップ
Ｈ―――左手
Ｇ―――軸心
Ｅ―――円弧状
【図１】
2019150540.tif 000003
【図２】
2019150540.tif 000004
【図３】
2019150540.tif 000005
(57)【要約】【課題】運搬具の長穴に袋口を差し込み運搬具を少し回転させると袋と運搬具が一体となり袋を確り保持でき、袋のずれ落ちを防ぐ指への負担を軽減できる袋物簡易運搬具を提供する。【解決手段】握っても変形しにくい強度のある一本の帯状素材を設け、帯状素材の長手中心をＲ付曲げ加工設け、前記帯状素材の両端を対向する向きに折り曲げ接合されており、帯材を一本の長穴状部材に形成したことを特徴とする袋物簡易運搬具。【選択図】図３
2019150538.tif 000002
【特許請求の範囲】
【請求項１】
握っても変形しにくい強度のある一本の帯状素材を設け、帯状素材の長手中心をＲ付曲げ加工設け、前記帯状素材の両端を対向する向きに折り曲げ接合されており、帯材を一本の長穴状部材に形成したことを特徴とする袋物簡易運搬具。
【発明の詳細な説明】
【技術分野】
【０００１】本発明は、手指で保持運搬しずらい内容物の入った重いビニール袋等の持ち運びを楽に保持運搬できる袋物運搬に関する物である。
【背景技術】
【０００２】従来、袋口を挟む運搬具はあった。
【発明の概要】
【発明が解決しようとする課題】
【０００３】そのために、次のような問題点があった。
（イ）内容物が入り重いビニール袋の持ち運び、保持は指が滑り袋のずり落ち等指への負担が大きかった。
（ロ）素早く簡単に利用できる補助具はなかった。
本発明は、これらの問題点を解決するためになされたものである。
【課題を解決するための手段】
【０００４】握っても変形しにくい板厚４〜５ミリ、巾１３〜１６ミリのメッキ処理された一本の帯状素材を設け、帯状素材の長手中心をＲ付曲げ加工設け、前記帯状素材の両端を対向する向きに折り曲げ接合する内径をＲ曲げ内径より少し広く設け、厚手の袋（土のう袋等）を挿入しやすい長穴状部材に形成したことを特徴とする袋物簡易運搬具。
【発明の効果】
【０００５】従来、内容物の入ったビニール袋の保持、持ち運びは袋のずれ落ち防ぐ指の力、保持する指の力、指に負担がかかり難儀であった。
握り易い硬い素材からなる運搬具の長穴に袋口を挿入し補助具を半回転させると運搬具と袋が一体となり長穴に指先を入れるだけで楽に運搬できる。
【図面の簡単な説明】
【０００６】
【図１】本発明の平面図である。
【図２】本発明の側面図である。
【図３】本発明の運搬具の長穴に袋の口部を差し込み運搬具を少し回転させ指先だけで保持している使用例を示す正面図である。
【発明を実施するための形態】
【０００７】以下、本発明の実施の形態について説明する。
握っても変形しにくい板厚４〜５ミリ、巾１３〜１６ミリのメッキ処理された一本の帯状素材を設け、帯状素材の長手中心をＲ付曲げ加工設け、前記帯状素材の両端を対向する向きに折り曲げ接合する内径をＲ曲げ内径より少し広く設け、厚手の袋（土のう袋等）を挿入しやすい長穴状部材に形成した。
本発明は以上のような構成である。
これを使用るときは、袋物簡易運搬具の長穴に袋口を差し込み運搬具を回転させると袋が運搬具と一体となり袋を確り保持でき指先だけでも楽に保持できる。袋がずり落ちることもなく指への負担を軽減できる運搬具である。
【符号の説明】
【０００８】          １  帯材
２  長穴
３  袋物
４  手
【図１】
2019150538.tif 000003
【図２】
2019150538.tif 000004
【図３】
2019150538.tif 000005
【手続補正書】
【提出日】平成30年8月1日(2018.8.1)
【手続補正１】
【補正対象書類名】特許請求の範囲
【補正対象項目名】請求項１
【補正方法】変更
【補正の内容】
【請求項１】
握っても変形しにくい強度のある一本の帯状素材を設け、帯状素材の長手中心をＲ付き曲げ加工を施し、前記の帯状素材の両端を対向する向きに折り曲げ接合されており、帯材を一本の長穴状部材に形成したことを特徴とする袋物簡易運搬具。
【手続補正書】
【提出日】平成30年11月24日(2018.11.24)
【手続補正１】
【補正対象書類名】特許請求の範囲
【補正対象項目名】請求項１
【補正方法】変更
【補正の内容】
【請求項１】
握っても変形しにくい強度のある板厚４〜５ミリ、巾１３〜１６ミリの一本の帯状素材からなり、前記帯状素材の長手中心をＲ付曲げ加工を施し、前記帯状素材の両端を対抗する向きに折り曲げ接合されており、前記帯状素材を一体の長穴を有する輪状に形成し、前記長穴は、内容物の入った袋を挿入できると共に指先を入れて運搬できる大きさに形成したことを特徴とする袋物簡易運搬具。
(57)【要約】【課題】重みのある寝具を安価かつ手軽に製作することで，睡眠障害に悩む人々の睡眠を改善する。【解決手段】重みのある寝具は，５ｋｇから１０ｋｇ程度の質量があるものが効果的とされている。これだけの質量をもつ寝具を作成することは容易ではない。そのため，現在販売されている海外製の製品は非常に高価で希少である。そこで，日本国内では安価に多く手に入る中古のパチンコ玉を付加することで，手軽かつ安価に重みのある寝具を製作する方法を発明した。既製品の寝具もしくは布地を２枚合わせて，小さなポケット状に縫製し，その一つ一つにパチンコ玉などをおもりとして入れることで，全体にほぼ均等に５ｋｇ以上の質量を付加し，おもりを付加した寝具を作製する。これは海外で販売されている重みのある寝具と同等の効果が得られる上により安価である。【特許請求の範囲】
【請求項１】
おもりを付加した寝具。
【請求項２】
発達障害や不眠症などにより睡眠障害を持つ人の睡眠を改善するためのおもりを付加した寝具。
【請求項３】
発達障害などによる落ち着かなさを改善させるためのおもりを付加した寝具。
【請求項２】
既存寝具にパチンコ玉などの金属球を適宜配置したおもりを付加した掛布団・毛布・ブランケット・タオルケット。
【請求項３】
寝具と寝具もしくは布を合わせ，片側から適宜間隔に端から端までを縫い，ポケット状にし，一つないしは複数のパチンコ玉などの金属球を入れ，その後別方向から一列縫ってはパチンコ玉を入れという作業を繰り返すおもりを付加した掛布団・毛布・ブランケット・タオルケットの製作方法。
【発明の詳細な説明】
【技術分野】
【０００１】本発明は，睡眠改善に効果的なおもりを付加した寝具に関するものである。
【先行技術文献】
【０００２】
【非特許文献】
【非特許文献】例えば，Ｒ．Ａｃｋｅｒｌｅｙ，Ｇ．Ｂａｄｒｅ  ａｎｄ  Ｈ．Ｏｌａｕｓｓｏｎ，“Ｐｏｓｉｔｉｖｅ  Ｅｆｆｅｃｔｓ  ｏｆ  ａ  Ｗｅｉｇｈｔｅｄ  Ｂｌａｎｋｅｔ  ｏｎ  Ｉｎｓｏｍｎｉａ”，Ｊｏｕｒｎａｌ  ｏｆ  Ｓｌｅｅｐ  Ｍｅｄｉｃｉｎｅ  ＆  Ｄｉｓｏｒｄｅｒｓ，２（３）：１０２２（２０１５）
【発明の概要】
【発明が解決しようとする課題】
【０００３】発達障害などにより不眠症などの睡眠障害に悩む人は子どもから大人まで多い。睡眠がうまくとれないことで体調不良になることも多く，社会生活に支障がでている人も少なくない。このことは，発達障害でなくとも，一般的なストレスなどによる不眠症に悩む人々についても同じことが言える。【０００４】近年国内で主流の掛け布団や毛布などの身体に掛ける寝具は軽いものが主流である。しかし最近の海外の研究では，重みのある寝具が全身に適度な圧迫感と安心感を与え，安眠に効果的であるとの報告が提出されている。特にＡＤＨＤ（注意欠陥多動性障害）やＡＳＤ（自閉症スペクトラム）の人に有効であるとされる。実際にスウェーデンでは不眠に悩む人々に福祉用具として支給されている。【０００５】しかし，このような製品は，日本国内では生産されておらず，そのために非常に高価で入手しにくく，せっかくの有力な研究成果が国内の発達障害や不眠症による睡眠障害に悩む人々の睡眠の改善手段になりにくい。また，東日本では，「かい巻き」と呼ばれる袖付きの掛け布団が伝統的に用いられて来た。これはある程度の質量付加にはなるが，もともとは寒さ防止のためのものであり，現代の住宅事情と整合しにくい上，付加すべき質量がかなり不足している。
【課題を解決するための手段】
【０００６】重みのある寝具は５ｋｇから１０ｋｇ程度の質量のものが効果的とされているが，これだけの質量をもつ寝具を作成することは容易ではなく，そのため現在販売されている海外製の製品が非常に高価である事の一因となっている。【０００７】そこで日本国内では安価で大量に手に入る中古のパチンコ玉などをおもりとして用いて質量を付加し，手軽かつ安価に重みのある寝具を製作する方法を発明した。
【本発明の効果】
【０００８】本発明のおもりを付加した寝具は，既製品の寝具もしくは布地を２枚合わせて，小さなポケット状に縫製し，その一つ一つにパチンコ玉などの金属球を入れることで，全体にほぼ均等に５ｋｇ以上の質量を付加することができ，海外で販売されている重みのある寝具と同等の効果が安価に得られる。
【０００９】寝具に重みをつけるために，本発明を用いずに既存の布団を何枚も重ねるなどの方法をとった場合，暑すぎるなど体温調節の問題が生じる上，身動きも取りにくく，却って熟眠が阻害される。従って，そのような方法で熟眠の効果がある５ｋｇ以上の質量を付加することは全く現実的ではない。
【００１０】本発明のおもりを付加した寝具は体温調節がしやすい上にフレキシブルで，熟眠が阻害されることはない。また，おもりの質量や数を調整することで，寝具の質量を調整することができる。例えば，効果を確認したスウェーデンの研究者たちは金属チェーンを用しているが，本発明の金属球を入れる方法では，より平面的にきめ細かな調整が可能であり，個人個人にとっての最適な質量で使用することができるため，より熟眠しやすい。
【００１１】試作品として，１０００ｍｍ×２０００ｍｍのシングルサイズの既製品の掛け布団２枚を５０ｍｍ四方のポケットに区切って縫ったものの各ポケットに１個ずつ８００個のパチンコ玉を入れたものは，約５ｋｇの質量になった。実際に不眠症の被験者に使用したところ主観的な熟眠感は向上した。
【図面の簡単な説明】
【００１２】
【図１】本発明の実施方法を示した説明図である。
【図２】本発明の使用方法を示した説明図である。
【実施例】
【実施例１】
【００１３】具体的な作製方法としては，寝具と寝具もしくは布を合わせて，片側から一定間隔に端から端までを縫い，ポケット状にした所に一つずつパチンコ玉を入れ，その後，別方向から一列縫ってはパチンコ玉を入れるという作業を繰り返す。【００１４】この時製作に用いる寝具は，冬用の掛け布団であれば掛け布団同士でもよいし，分厚過ぎると感じる場合には一方を布（市販のシーツでも可）にする。夏用であれば，タオルケットとシーツを用いるとよい。
【実施例２】
【００１５】就寝時にこれを直接身体に掛けるか，一般的な掛布団・毛布・ブランケット・タオルケットと併用しても良い。おもりを付加した掛布団・毛布・ブランケット・タオルケットを，掛布団・毛布・ブランケット・タオルケットと布で製作した場合には布側でない方を身体側に用いて就寝する。
【図１】
2019150656.tif 000002
【図２】
2019150656.tif 000003
(57)【要約】【課題】炊きムラの少ない炊飯器を低コストで提供する。【解決手段】本体１に収納された上部開口有底筒状の外釜７を備え、本体１の上方と外釜７の上部開口部を覆い調圧弁Ｂ１３を有したフタ２を備え、外釜７に収められる内容器１４を備え、内容器１４は、上部開口有底筒状の内釜４と、内釜のフランジ部４ａの外周に設けられた筒状のスカート６と、内釜４の上部を覆い調圧弁Ａ１０を有した内フタ５と、を設け、調圧弁Ｂ１３と調圧弁Ａ１０とを連通する蒸気パッキン１１を備えたものである。【選択図】図１
2019150412.tif 000002
【特許請求の範囲】
【請求項１】
本体に収納された上部開口有底筒状の外釜を備え、
前記本体の上方と前記外釜の上部開口部を覆い調圧弁Ｂを有したフタを備え、
前記外釜に収められる内容器を備え、
該内容器は、
上部開口有底筒状の内釜と、
該内釜のフランジ部の外周に設けられたスカート部と、
前記内釜の上部を覆い調圧弁Ａを有した内フタと、を有し、
前記調圧弁Ｂと前記調圧弁Ａとを連通する蒸気パッキンを備えたことを特徴とする、炊飯器。
【請求項２】
前記外釜と前記スカート部の間に外釜内部空間を有し、前記スカート部と前記内釜の間にスカート内部空間を有することを特徴とする、
請求項１に記載の炊飯器。
【発明の詳細な説明】
【技術分野】
【０００１】
本発明は、炊飯時の加熱ムラを抑えた炊飯器に関するものである。
【背景技術】
【０００２】
特許文献１に示す従来の炊飯器は、内釜の底面からの加熱と、側面からの加熱と、上面からの加熱、すなわち３方向からの加熱で包み込むように全面加熱で炊飯することで、炊きムラのない炊飯が可能である。
【先行技術文献】
【特許文献】
【０００３】
【特許文献１】特開平０９−２５２９４２号公報
【発明の概要】
【発明が解決しようとする課題】
【０００４】
上記の従来技術においては、内釜の底面からの加熱の他に、側面からの加熱手段及び上面からの加熱手段を設ける必要が有る。また、各加熱手段の加熱タイミングの設定に時間を要し、更に各炊飯量に応じて設定が必要になる。
【０００５】
そのため、複数の加熱手段を設けるコストと加熱タイミングの設定に多大な時間を要しコストアップになるという課題があった。
【課題を解決するための手段】
【０００６】
本発明は上記の課題を解決するためになされたものであり、本体に収納された上部開口有底筒状の外釜を備え、前記本体の上方と前記外釜の上部開口部を覆い調圧弁Ｂを有したフタを備え、前記外釜に収められる内容器を備え、該内容器は、上部開口有底筒状の内釜と、該内釜のフランジ部の外周に設けられた筒状のスカートと、前記内釜の上部を覆い調圧弁Ａを有した内フタと、を設け、前記調圧弁Ｂと前記調圧弁Ａとを連通する蒸気パッキンを備えたものである。
【発明の効果】
【０００７】
本発明によれば、炊きムラの少ない炊飯器を低コストで提供することができる。
【図面の簡単な説明】
【０００８】
【図１】本発明に係る炊飯器の断面図である。
【図２】本発明に係る内釜の断面図である。
【図３】本発明による制御の説明図である。
【発明を実施するための形態】
【０００９】
以下、本発明の一実施例について各図面を用いて詳細に説明する。
【００１０】
内釜４は上部開口有底筒状で被加熱物であるお米を入れて炊飯を行うものである。
【００１１】
フランジ部４ａは内釜４の上部開口部の外周に設けられたものである。
【００１２】
内フタ５は内釜４の上部開口部を覆い内釜４内の気密を保つものである。内フタ５と内釜４との間の気密を保持するためパッキンを使用しても良い。
【００１３】
１０は調圧弁Ａで、内フタ５に設け内釜４内の圧力を常圧程度に保つものである。なお、後述する調圧弁Ｂ１３にて調圧を行うことができるので調圧弁Ａ１０は調圧機能の無い開口部でもよい。
【００１４】
スカート６はフランジ部４ａの外周に設けた筒状のもので、その高さは内釜４の高さとほぼ同じになるような構成としている。また、内フタ５を覆うようにコップを逆さまにした形状でも良い。そして内釜４と内フタ５とスカート６を装着した状態を内容器１４とする。
【００１５】
外釜７は上部開口有底筒状の形状で内容器１４（スカート６と内フタ５を設けた内釜４）を収めるものである。この収める空間が外釜内部空間７ａである。外釜内部空間７ａは、内容器１４の側面側と天面側に設けられた空間である。
【００１６】
誘導加熱手段９は外釜７の底部の裏側となる本体内部側に設け、内釜４の底部を誘導加熱するものである。
【００１７】
温度センサ３は内釜４の底部に接触して温度を検知するものである。
【００１８】
蒸気パッキン１１は内フタ５に設けた調圧弁Ａ１０と後述するフタ２に設けた調圧弁Ｂ１３とを連通し、外側内部空間７ａに蒸気漏れを防ぐほかに、調圧弁Ｂ１３で内釜４内部の調圧を行うものである。
【００１９】
１３は調圧弁Ｂで、内釜４内部の気圧を例えば１．２気圧に調整できるものである。また、後述する制御部８の制御で調圧部の開閉を行い、必要に応じて気圧調整を可能としている。
【００２０】
沸騰検出手段１２は炊飯時に発生する蒸気の温度を検出して、後述する制御部８で誘導加熱手段９の火力を制御するものである。
【００２１】
制御部８は温度センサ３や蒸気検出手段１２の温度を検知して誘導加熱手段９の火力を制御し、また調圧弁Ｂ１３を制御して内釜４内の圧力を調整するものである。
【００２２】
次に動作について説明する。
【００２３】
炊飯が開始されると、誘導加熱手段９によって内釜４の底部が加熱される。内釜４の底部から温度が上昇し炊飯が進行する。加熱された内釜４の底部側から温度が上昇することでスカート６の内側であるスカート内部空間６ａが温められる。スカート内部空間６ａでは温められた空気の上昇に伴い空気の対流が起こり、スカート内部空間６ａの上部側の温度が上昇を始める。
【００２４】
スカート内部空間６ａの上部側の温度が高くなることで内釜４の上方を加温する。スカート６の上方は密閉されているためスカート内部空間６ａは効率良く加熱される。
【００２５】
次に熱伝導によってスカート６と外釜７との空間である外釜内部空間７ａの温度が上昇を始めることで、外釜内部空間７ａに側面と上面を覆われている内釜４は温度ムラが少なくなり、炊きムラの少ない炊飯が可能となる。
【００２６】
以上の構成により、炊きムラの少ない炊飯器を低コストで提供することが可能となる。
【符号の説明】
【００２７】
１・・・本体、２・・・フタ、４・・・内釜、５・・・内フタ、６・・・スカート、６ａ・・・スカート内部空間、７・・・外釜、７ａ・・・外釜内部空間、９・・・誘導加熱手段、１０・・・調圧弁Ａ、１１・・・蒸気パッキン、１３・・・調圧弁Ｂ、１４・・・内容器
【図１】
2019150412.tif 000003
【図２】
2019150412.tif 000004
【図３】
2019150412.tif 000005
(57)【要約】【課題】騒音をなくし机と椅子を組み合わせることで容易に移動させることができるキャスター付きの椅子を提供する。【解決手段】キャスター付き椅子１は椅子の前脚１１ａ、１２ａと後ろ脚１１ｂ、１２ｂを繋ぐ左右貫２２、２３と、前脚１１ａ、１２ａ同士につなぐ前貫２１ａと、後ろ脚１１ｂ、１２ｂ同士につなぐ後ろ貫２１ｂと、前貫２１ａと後ろ貫２１ｂを繋ぐ左右それぞれの左右とんぼ貫３０ａ、３０ｂと、中央とんぼ貫３１を備え、左右とんぼ貫３０ａ、３０ｂを軸として回動可能なアーム４０、４１を有し、開いたときに、それぞれのアーム４０、４１が左右貫２２、２３それぞれに支持され、机の前脚２ｂ、２ｃと後ろ脚２ａ、２ｄを繋ぐ横棒３ａ、３ｃをアーム４０、４１の先端部４０ｃ、４１ｃに乗せることができ、閉じたときに、先端部４０ｃ、４１ｃが中央とんぼ貫３１に載置固定されることである。【選択図】図４
2019150462.tif 000002
【特許請求の範囲】
【請求項１】
椅子の前脚と後ろ脚を繋ぐ左右貫と、前脚同士につなぐ前貫と、後ろ脚同士につなぐ後ろ貫と、該前貫と該後ろ貫を繋ぐ左右それぞれの左右とんぼ貫と、中央とんぼ貫を備え、
該左右とんぼ貫を軸として回動可能なアームを有し、
開いたときに、該それぞれのアームが左右貫それぞれに支持され、机の前脚と後ろ脚を繋ぐ横棒を該アームの先端部に乗せることができ、
閉じたときに、該先端部分が中央とんぼ貫に載置固定されるキャスター付きの椅子。
【請求項２】
前記アームの先端部は半円筒状である請求項１に記載のキャスター付きの椅子。
【請求項３】
前記アーム間を繋ぐ横棒を更に備える請求項１又は請求項２に記載のキャスター付きの椅子。
【発明の詳細な説明】
【技術分野】
【０００１】
本発明は、主として学校用家具として使用されるキャスター付きの椅子に関するものである。
【背景技術】
【０００２】
従来の学校用の椅子は、立ち上がった際又は椅子を運搬する際の騒音が考慮されていなかった。
【先行技術文献】
【特許文献】
【０００３】
【特許文献１】特開平０９−２８５３６０
【発明の概要】
【発明が解決しようとする課題】
【０００４】
前記特許文献１に記載された学校用椅子は、机と椅子を運ぶ際に組み合わせることを考慮されていなく、運搬する際の騒音があり、さらに重量により運搬しづらいという課題がある。
【０００５】
本発明は騒音をなくし、机と椅子を組み合わせることで容易に移動させることができるキャスター付きの椅子を提供することを目的とする。
【課題を解決するための手段】
【０００６】
請求項１のキャスター付きの椅子は、椅子の前脚と後ろ脚を繋ぐ左右貫と、前脚同士につなぐ前貫と、後ろ脚同士につなぐ後ろ貫と、前貫と後ろ貫を繋ぐ左右それぞれの左右とんぼ貫と、中央とんぼ貫を備え、左右とんぼ貫を軸として回動可能なアームを有し、開いたときに、それぞれのアームが左右貫それぞれに支持され、机の前脚と後ろ脚を繋ぐ横棒をアームの先端部に乗せることができ、閉じたときに、先端部分が中央とんぼ貫に載置固定されることである。
また、請求項２のキャスター付きの椅子は、請求項１において前記アームの先端部は、半円筒状である。
請求項３のキャスター付きの椅子は、請求項１又は請求項２において上記アーム間を繋ぐ横棒を更に備えてある。
【発明の効果】
【０００７】
請求項１のキャスター付き椅子は、机と椅子を組み合わせることでもちあげる必要性がなく容易に移動することが可能であり、椅子から立ち上がるときに生じる音にキャスターを有することで解決できる。回動可能なアームを、中央とんぼ貫に載置固定することで荷物を収納することができる。
請求項２のキャスター付きの椅子は、前記アームの先端部は半円筒状であり、机と椅子を組み合わせることできる。
請求項３のキャスター付き椅子は、上記アーム間を繋ぐ横棒を更に備えることで荷物を収納しやすくなる。
【図面の簡単な説明】
【０００８】
【図１】本発明の実施例のキャスター付き椅子の斜め方向から見た机を乗せた 斜視図である。
【図２】本発明の実施例のキャスター付き椅子の斜め方向から見たアームが閉じ        た時の斜視図である。
【図３】本発明の実施例のキャスター付き椅子の斜め方向から見たアームを開い        た時の斜視図である。
【図４】本発明の実施例のキャスター付き椅子の正面からみた要部の斜視図であ        る。
【発明を実施するための形態】
【０００９】
以下、本発明の実施形態のキャスター付き椅子について、添付図面に基づいて説明する。
図２に示すようにこのキャスター付き椅子１は椅子の前脚１１ａ、１２ａと後ろ脚１１ｂ、１２ｂを繋ぐ左右貫２２、２３と、前脚１１ａ、１２ａ同士につなぐ前貫２１ａと、後ろ脚１１ｂ、１２ｂ同士につなぐ後ろ貫２１ｂと、前貫２１ａと後ろ貫２１ｂを繋ぐ左右それぞれの左右とんぼ貫３０ａ，３０ｂと、中央とんぼ貫３１を備え、左右とんぼ貫３０ａ、３０ｂを軸として回動可能なアーム４０、４１を有する。
図３に示すようにアーム４０、４１が開いたときに、それぞれのアーム４０、４１が左右貫２２、２３それぞれに支持される。
図１に示すように、机の前脚２ｂ、２ｃと後ろ脚２ａ、２ｄを繋ぐ横棒３ａ、３ｃをアーム４０、４１の先端部４０ｃ、４１ｃに乗せることができる。
また、図２に示すようにアームを閉じたときに、先端部４０ｃ、４１ｃが中央とんぼ貫３１に載置固定されることである。
【００１０】
キャスター付き椅子１の使用方法を以下説明する。
最初に、アーム４０、４１を開ける。机２の横棒３ａ、３ｃをアーム４０、４１の先端部４０ｃ、４１ｃに乗せる。
次に、机２をアーム４０、４１の先端部４０ｃ、４１ｃに乗せることで容易に運ぶ。
また、机２を下ろし、アーム４０、４１が閉じる。次に先端部４０ｃ、４１ｃが中央とんぼ貫３１に載置固定することで、荷物を収納する。
【００１１】
アーム４０、４１の先端部４０ｃ、４１ｃは半円筒状である。本発明は半円筒状であるが、凹状、かぎ爪状でもよい。
なお、先端部４０ｃ、４１ｃは、それぞれ半円筒状の２個で構成されているが１個でもよいし３個以上でもよい。
アーム４０、４１間を繋ぐ横棒４０ｄ、４１ｄを備える。    
なお、アーム４０、４１の形状は板状でもよい。または、３本以上でも問わない。
横棒４０ｄ、４１ｄは、それぞれ１個で形成されているが、なくてもよいし２
個でもよいし３個以上でもよい。
【００１２】
学校用机２は、前脚２ａ、２ｄ、後ろ脚２ｂ、２ｃ、足掛け３ｂ、前脚と後ろ脚をつなぐ横棒３ａ、３ｃ、天板の下部に物入れとなる鉄製の箱形状のものからなる。キャスター９０ａ、９０ｂ、９０ｃ、９０ｄは椅子の前脚１１ａ、１２ａ、後ろ脚１１ｂ、１２ｂに、下端についている。
【符号の説明】
【００１３】
１  椅子
２  机
２ａ、２ｄ  机の前脚
２ｂ、２ｃ  机の後ろ脚
３ａ、３ｃ  横棒
３ｂ  足掛け
１１ａ、１２ａ  椅子の前脚
１１ｂ、１２ｂ  後ろ脚  
２２、２３  左右貫
２１ａ  前貫
２１ｂ  後ろ貫
３０ａ、３０ｂ  左右とんぼ貫
３１  中央とんぼ貫
４０、４１  回動可能なアーム
４０、４１ｃ  アームの先端部
９０ａ、９０ｂ、９０ｃ、９０ｄ  キャスター
【図１】
2019150462.tif 000003
【図２】
2019150462.tif 000004
【図３】
2019150462.tif 000005
【図４】
2019150462.tif 000006